(57)【要約】  【課題】  熱交換器の伝熱管の開口側先端に、Ｕ字管を正確に溶接したのちに、熱交換器を背面パネルへ容易に取付けできるファンコンベクタを提供する。  【解決手段】  前面が開放された背面パネルと、同背面パネルの前面に装着される前面パネルとで本体を構成し、背面パネルの上部に吸込口を、下部に吹出口を設け、これら吸込口と吹出口とを結ぶ空気通路に、多数のフィン8aと、複数のＵ字状の伝熱管8bと、フィンの両側部に設けられ背面パネルに取り付けられる側板11と、伝熱管の開口側先端に溶接されるＵ字管8cとからなる熱交換器８と、同熱交換器により熱交換された空気を吹出口から送出する送風ファン９とを設けてなり、両側板に伝熱管に対向させたコ字状のフランジ部11a を設けるとともに、側板の長手方向に熱交換器の取付部11b1,11b2,11b3,11b4 を設けてなる構成となっている。  【選択図】図３
2007040640.tif 000002
【特許請求の範囲】
【請求項１】
筐体の吸込口と吹出口とを結ぶ空気通路に、多数のフィンと、これに直交した伝熱管と、前記フィンの両側部に、同フィンと併設して設けられた側板と、前記伝熱管に溶接されるＵ字管とからなる熱交換器を設けてなり、
前記両側板に前記伝熱管に対向させたコ字状のフランジ部を設けるとともに、前記側板の長手方向に前記熱交換器の取付部を設けてなることを特徴とする空調機器の熱交換器取付構造。
【請求項２】
筐体の背面上部に設けられた吸込口と、前面下部に設けられた送風ケーシングからなる吹出口と、前記吸込口と前記吹出口とを結ぶ空気通路に、多数のフィンと、これに直交した伝熱管と、前記フィンの両側部に、同フィンと併設して設けられた側板と、前記伝熱管に溶接されるＵ字管とからなる熱交換器を設けてなり、
前記両側板に前記伝熱管に対向させたコ字状のフランジ部を設けるとともに、前記側板の長手方向の両端に前記熱交換器の取付部をそれぞれ設け、同取付部の一方を前記筐体の背面側に、他方を前記送風ケーシング側に取付けてなることを特徴とする空調機器の熱交換器取付構造。
【請求項３】
前記取付部は前記フランジ部が延設されてなることを特徴とする請求項１または２に記載の空調機器の熱交換器取付構造。
【発明の詳細な説明】
【技術分野】
【０００１】
本発明は、空調機器の熱交換器に係わり、より詳しくは、筐体の背面パネル等に取付ける熱交換器の取付構造に関する。
【背景技術】
【０００２】
従来の空調機器の熱交換器取付構造には、例えば図６で示すようものが知られている（例えば、特許文献１参照。）。
図６において、熱交換器４’は多数のフィン４ａ’と、これに直交して両先端を突出させた複数のＵ字状の伝熱管４ｂ’と、同伝熱管４ｂ’の開口側先端に溶接されるＵ字管４ｃ’と、前記フィン４ａ’の両側部に固定される後述する側板とから構成されている。
【０００３】
前記フィン４ａ’の両側部には、第一側板７’と、同第一側板７’に接続する接続部およびベース２’に取り付ける取付部からなる第二側板８’とに分割された側板が固定される構成となっており、これによって、前記フィン４ａ’の両側部に前記第一側板７’を固定し、前記伝熱管４ｂ’の開口側先端に前記Ｕ字管４ｃ’を溶接し、前記第一側板７’に接続した前記第二側板８’を前記ベース２’に取付できるようにした構成となる。
【０００４】
また、前記第一側板７’に前記第二側板８’を接続する接続部は、ねじ孔７ｃ’を備えて前記第一側板７’に設けたフランジ７ｂ’と、前記ねじ孔７ｃ’に対応して、前記第二側板８’に設けた接続孔８ａ’とからなり、同第二側板８’を前記ベース２’に取り付ける取付部は、同ベース２’に設けた取付溝３ａ’と、同取付溝３ａ’に対応して、前記第二側板８’に設けた取付片８ｂ’とからなり、前記フランジ７ｂ’のねじ孔７ｃ’に前記接続孔８ａ’を挿通したねじ９’で螺着して前記接続部を接続し、前記取付片８ｂ’を前記取付溝３ａ’に嵌入して前記第二側板８’を前記ベース２’に取り付けるようにした構成となっており、また、前記第一側板７’のフランジ７ｂ’は、前記伝熱管４ｂ’の突出部に比して小さい寸法形状で形成した構成となっている。
【０００５】
これによって、図６（Ｂ）で示すように、前記フィン４ａ’の両側に挿通孔７ａ’を備えた前記第一側板７’を固定したのちに、前記伝熱管４ｂ’の開口側先端に前記Ｕ字管４ｃ’を溶接する際、前記突出部の突出寸法ａに比して前記フランジ７ｂ’の寸法ｂが小さくなるため、前記Ｕ字管４ｃ’を溶接する際、溶接炎Ａが前記フランジ７ｂ’の先端で遮蔽されることなく、正確な溶接作業を行えるようにした構成となる。
【０００６】
しかしながら、上記従来の構造では、側板が第一側板と第二側板の２枚用いられ部品点数が増え、かつ、第一側板のフランジは片側のみであり、強度的に十分ではない。
【０００７】
【特許文献１】特開平１０−２６４００号公報（３〜４頁、第２図）
【発明の開示】
【発明が解決しようとする課題】
【０００８】
本発明は上記の問題点に鑑み、熱交換器の両側板のフランジ部の高さをＵ字管の溶接に支障のない高さに制限し，フランジ部の端部に、背面パネルへの取付部を形成すことにより、伝熱管の開口側先端にＵ字管を正確に溶接したのちに、熱交換器を背面パネルへ容易に取付けることができる空調機器の熱交換器取付構造を提供することを目的とする。
【課題を解決するための手段】
【０００９】
本発明は上述の課題を解決するため、筐体の吸込口と吹出口とを結ぶ空気通路に、多数のフィンと、これに直交した伝熱管と、前記フィンの両側部に、同フィンと併設して設けられた側板と、前記伝熱管に溶接されるＵ字管とからなる熱交換器を設けてなり、
前記両側板に前記伝熱管に対向させたコ字状のフランジ部を設けるとともに、前記側板の長手方向に前記熱交換器の取付部を設けてなる構成となっている。
【００１０】
また、筐体の背面上部に設けられた吸込口と、前面下部に設けられた送風ケーシングからなる吹出口と、前記吸込口と前記吹出口とを結ぶ空気通路に、多数のフィンと、これに直交した伝熱管と、前記フィンの両側部に、同フィンと併設して設けられた側板と、前記伝熱管に溶接されるＵ字管とからなる熱交換器を設けてなり、
前記両側板に前記伝熱管に対向させたコ字状のフランジ部を設けるとともに、前記側板の長手方向の両端に前記熱交換器の取付部をそれぞれ設け、同取付部の一方を前記筐体の背面側に、他方を前記送風ケーシング側に取付けてなる構成となっている。
【００１１】
また、前記取付部は前記フランジ部が延設されてなる構成となっている。
【発明の効果】
【００１２】
本発明によれば、請求項１の両側板に伝熱管に対向させたコ字状のフランジ部を設けるとともに、側板の長手方向に熱交換器の取付部を設けることにより、伝熱管の開口側先端にＵ字管を正確に溶接したのちに、熱交換器を背面パネルへ容易に取付けることができる。請求項２の両側板に伝熱管に対向させたコ字状のフランジ部を設けるとともに、側板の長手方向の両端に熱交換器の取付部をそれぞれ設け、同取付部の一方を筐体の背面側に、他方を前記送風ケーシング側に取付けることにより、取付部を取付けるための、筐体および送風ケーシングに設けられるボスの高さを低くでき、取付けが容易にできる。請求項３の取付部はフランジ部が延設されてなることにより、部品点数を増やさず一体成形することができる。
【発明を実施するための最良の形態】
【００１３】
以下、本発明の実施の形態を、ファンコンベクタと呼ばれる温水暖房機の室内機を例に、添付図面に基づいた実施例として詳細に説明する。
図１（Ａ）は本発明におけるファンコンベクタの要部縦断面図で，（Ｂ）は熱交換器の取付け部分の要部斜視図のある。
図２は本発明における背面パネルに熱交換器を取付けた状態の斜視図である。
図３は本発明における熱交換器の斜視図である。
図４は本発明におけるＵ字管の溶接を説明するための要部斜視図である。
【実施例１】
【００１４】
以下、本発明の実施例１を図１、図２、図３および図４に基づいて説明する。
図１および図２において、１はファンコンベクタ本体を構成する筐体、２は床面に載置される前記筐体１を構成するスタンド、３は前面が開放された樹脂製の背面パネル、４は後面が開放され前記背面パネル３に被着される前面パネルで、これらにより本体を構成している。
【００１５】
５は前記筐体１の背面上部に設けられた吸込口、６は前面下部に設けられた送風ファンケーシング７からなる吹出口、８はこれら吸込口５および吹出口６を結ぶ空気通路７に設けられ、前記吸込口５に臨ませて、温水を循環することにより前記吸込口５から吸い込まれた吸込空気を熱交換する熱交換器、９は前記送風ファンケーシング７に収納され、前記熱交換器８により熱交換された温風を前記吹出口６に送出するための送風ファン、１０は前記筐体１の上面、前面および両側面との間に所定の間隔をなし同筐体１内に配置され、空気通路１２を形成してなる遮熱板で、前記熱交換器８により熱交換された温風による熱を、前記前面パネル４に伝わらないようにしている。
【００１６】
図３において、熱交換器８は多数のフィン８ａと、これに直交して両先端を突出させたＵ字状の伝熱管８ｂと、同伝熱管８ｂの開口側先端に溶接されるＵ字管８ｃと、前記フィン８ａの両側部に固定される後述する側板１１とから構成されている。
【００１７】
前記フィン８ａの両側部には、図２及び図３に示すように、前記背面パネル３に取り付ける取付部１１ｂ１、１１ｂ２、１１ｂ３及び１１ｂ４を備えた側板１１が固定される構成となっている。前記取付部１１ｂ１、１１ｂ２、１１ｂ３及び１１ｂ４をそれぞれ前記背面パネル３に取り付けることにより、前記側板１１を前記背面パネル３に取付できるようにした構成となる。
【００１８】
図４（Ａ），（Ｂ）に示すように、前記両側板１１に前記伝熱管８ｂに対向させたコ字状のフランジ部１１ａをそれぞれ形成し、このフランジ部１１ａの高さＨを前記Ｕ字管８ｃの溶接に支障のない高さ（例えば、１０ｍｍ以下）に制限している。即ち、フランジ部１１ａは、前記伝熱管８ｂの突出部の高さＭに比して小さい寸法形状（Ｈ＜Ｍ）で形成した構成となっている。
従って、前記伝熱管８ｂの開口側先端に前記Ｕ字管８ｃを溶接する際、溶接炎Ａが前記フランジ部１１ａの先端で遮蔽されることなく、正確な溶接作業を行えるようにした構成となる。
【００１９】
また、対向させたコ字状の前記両フランジ部１１ａの長手方向の端部に、前記熱交換器８の前記取付部１１ｂ１、１１ｂ２、１１ｂ３及び１１ｂ４をそれぞれ設けるとともに、同取付部１１ｂ１、１１ｂ２、１１ｂ３及び１１ｂ４にネジを挿通する挿通孔１１ｃ１、１１ｃ２、１１ｃ３及び１１ｃ４をそれぞれ設ける。前記取付部１１ｂ１及び１１ｂ２は、前記背面パネル３側のフランジ部１１ａの上部に設けられ、前記取付部１１ｂ３及び１１ｂ４は、前記前面パネル４側のフランジ部１１ａの下部に設けられている。
【００２０】
そして、前記挿通孔１１ｃ１及び１１ｃ２に前記本体の前面側よりネジ（図示せず）を螺着し、前記フランジ部１１ａの上部の取付部１１ｂ１及び１１ｂ２を前記筐体１の背面パネル３の上部に取付け、前記挿通孔１１ｃ３及び１１ｃ４に前記本体の前面側よりネジを螺着し、前記フランジ部１１ａの下部の取付部１１ｂ３及び１１ｂ４を前記送風ファンケーシング７の上部に取付け、図１（Ａ）に示すように、前記熱交換器８を前記吸込口５に沿って斜めに取付けてなる構成となっている。
【００２１】
上記構成において、前記熱交換器８をコ字状の前記フランジ部１１ａの背面側と前面側とで保持する構成となっているため、片側のフランジ部１１ａのみで保持する場合に対し、前記熱交換器８の荷重が分散されるため安全性が向上する。
また、前記熱交換器８を前記吸込口５に沿って斜めに配置した場合でも、図２に示すように前記取付部１１ｂ１、１１ｂ２、１１ｂ３及び１１ｂ４が前面側に向かって露になるので、取付作業が容易にできるという効果がある。
【００２２】
図５は本発明における他の実施例を示したもので、前記両フランジ部１１ａの上端部に、前記フィン８ａの長手方向の端面より延出して前記背面パネル３への取付部１１ｂを形成し、同取付部１１ｂにネジを挿通する挿通孔１１ｃを設けると共に、前記両フランジ部１１ａの下端部に、下方に突出する爪１２をそれぞれ設け、図示しないが、前記背面パネル３に設けられた爪受部に、前記爪１２を挿入し、前記挿通孔１１ｃに前記本体前面側よりネジ（図示せず）を螺着し前記背面パネル３に前記熱交換器８を取り付けてなる構成となっている。このため、前記背面パネル３への取付けネジは２本で済み、上記第１の実施例に比べ２本削減でき作業性がより向上する。
【００２３】
上記に説明したように、本発明によれば、前記熱交換器８の前記両側板１１に前記伝熱管８ｂに対向させたコ字状のフランジ部１１ａをそれぞれ形成し、このフランジ部１１ａの高さを前記Ｕ字管８ｃの溶接に支障のない高さに制限し，前記フランジ部１１ａの端部に、前記背面パネル３への取付部１１ｂを形成し、同取付部１１ｂにネジを螺着し前記背面パネル３に前記熱交換器８を取り付けてなる構成とすることにより、前記伝熱管８ｂの開口側先端に前記Ｕ字管８ｃを正確に溶接したのちに、前記熱交換器８を背面パネル３へ容易に取付けできるファンコンベクタとなる。
【図面の簡単な説明】
【００２４】
【図１】本発明におけるファンコンベクタの縦断面図である。
【図２】本発明における背面パネルに熱交換器を取付けた状態の斜視図である。
【図３】本発明における熱交換器の外観斜視図である。
【図４】本発明における熱交換器の要部斜視図である。
【図５】本発明における他の実施例を示す熱交換器の外観斜視図である。
【図６】従来例における熱交換器の取付け構造を示す図で、（Ａ）は分解斜視図で、（Ｂ）は（Ａ）の熱交換器を下から見た図である。
【符号の説明】
【００２５】
１  筐体（ファンコンベクタ）
２  ベース
３  背面パネル
４  前面パネル
５  吸込口
６  吹出口
７  送風ファンケーシング
８  熱交換器
８ａ  フィン
８ｂ  伝熱管
８ｃ  Ｕ字管
９  送風ファン
１０  遮熱板
１１  側板
１１ａ  フランジ部
１１ｂ１〜１１ｂ４  取付部
１１ｃ１〜１１ｃ４  挿通孔
１２  爪
【図１】
2007040640.tif 000003
【図２】
2007040640.tif 000004
【図３】
2007040640.tif 000005
【図４】
2007040640.tif 000006
【図５】
2007040640.tif 000007
【図６】
2007040640.tif 000008